(57)【特許請求の範囲】
【請求項１】
加熱器具の周囲に配設されるフェンスであって、金属繊維を用いて構成されたことを特徴とするフェンス。
【請求項２】
加熱器具の周囲に配設されるフェンスであって、金属繊維を重ねた積層材によって構成されたことを特徴とするフェンス。
【請求項３】
フェンスは、薄肉部と、厚肉部とを有することを特徴とする請求項１又は請求項２のフェンス。
【請求項４】
フェンスは、金属繊維間の隙間が小さな高密度部と、金属繊維間の隙間が大きな低密度部とを有することを特徴とする請求項１〜請求項３いずれかのフェンス。
【請求項５】
フェンスの周辺部は、金属繊維間の隙間が小さな高密度構造であることを特徴とする請求項１〜請求項４いずれかのフェンス。
【請求項６】
フェンスの周辺部は、金属繊維間の隙間が小さな薄肉構造であることを特徴とする請求項１〜請求項５いずれかのフェンス。
【請求項７】
金属繊維同士が絡まった構造であることを特徴とする請求項１〜請求項６いずれかのフェンス。
【請求項８】
金属繊維は、金属繊維間の隙間が大きな低密度部領域の内径より長い長さのものであることを特徴とする請求項１〜請求項７いずれかのフェンス。
【発明の詳細な説明】
【０００１】
【発明の属する技術分野】
本発明は、例えばガスコンロ等の加熱器具の傍に配設することによって油などが周囲の壁に飛散・付着するのを防止する加熱器具用のフェンスに関する。
【０００２】
【従来の技術、及び発明が解決しようとする課題】
従来より、アルミニウム又はアルミニウム合金（以下、単に、Ａｌ）箔製の油飛散付着防止用フェンス（加熱器具用フェンス）が提案されている。すなわち、例えば天麩羅を揚げるに際してフェンスをガスコンロの傍に配置しておけば、油が跳ねて周囲に散っても、フェンスに付着するのみであるから、周囲の壁などが汚れない。
【０００３】
この種のフェンスは、ガスコンロの周囲に立設できるよう、かつ、販売や輸送の際に場所を広く取ることがないよう折り畳み式（屏風構造）にＡｌ箔を構成したものが多い。
又、必要によっては、ガスコンロの周囲への取り付けを簡単なものとする為、磁石が表面に取り付けられていたりもする。
【０００４】
ところで、いずれのフェンスも、Ａｌ箔で構成されている。
しかし、Ａｌ箔製のフェンスは、例えば皺などが有り、外観性に劣る。
特に、リビングとキッチンとの間に仕切り壁が無い一体形式の住宅が増加している今日、キッチンが訪問者に目にされる機会は極めて多い。このような場合、Ａｌ箔製のフェンスが置かれているのが目にされると、それだけで台無しである。例えば、リビングのインテリアに十分に気を遣っていても、キッチンにＡｌ箔製のフェンスが置かれていると、そのインテリアも台無しになってしまう。
【０００５】
尚、Ａｌ箔製のフェンスが始めて置かれた未使用状態（油が付着していない状態）のものであっても、フェンスは、通常、折り畳まれており、この為、使用に際して開くと、箔構造であることから、どうしても外観性が低下した状態のものになってしまう。
又、フェンス自体に凹凸が形成されていても、表面が平滑である為、飛び散って付着した油は表面を伝わって流れ落ち易い。この為、ガスコンロの表面とか、ガスコンロが置かれているテーブル表面が汚れ易い。
【０００６】
又、Ａｌ箔製のフェンスに何かが当たったりすると、甲高い金属音が生じる。この金属音は、決して、気持ちが良いものでは無い。
従って、本発明が解決しようとする第１の課題は、外観性に優れた加熱器具用フェンスを提供することである。
本発明が解決しようとする第２の課題は、飛び散って付着した油が下に流れ落ち難く、フェンスが置かれている面を汚し難い加熱器具用フェンスを提供することである。
【０００７】
本発明が解決しようとする第３の課題は、不愉快な甲高い金属音を発し難い加熱器具用フェンスを提供することである。
【０００８】
【課題を解決するための手段】
前記の課題は、加熱器具の周囲に配設されるフェンスであって、金属繊維を用いて構成されたことを特徴とするフェンスによって解決される。
特に、加熱器具の周囲に配設されるフェンスであって、金属繊維を重ねた積層材によって構成されたことを特徴とするフェンスによって解決される。
【０００９】
すなわち、Ａｌ等の金属繊維を用いて構成したフェンスは、Ａｌ箔製のフェンスに見られるような皺が無く、外観性に優れている。例えば、このフェンス自体がインテリアとしても通用する程の外観性に優れている。又、金属繊維を用いて構成したが故に、隙間から裏側が透けて見え、これによっても外観性が良い。
又、Ａｌ箔とは異なり、表面が平滑では無い。すなわち、金属繊維によって構成されていることから、これに油が付着しても、油が直ちに表面を伝わって流れ落ちると言ったことが起き難い。つまり、油の保持性に富み、流れ落ち難い。従って、フェンスが置かれている面を汚し難い。
【００１０】
更には、例えば手が触れても、不愉快な甲高い金属音が起きない。
しかも、金属繊維を用いて構成させたフェンスは剛性に富むから、取扱い易い。
又、Ａｌ箔製のものに比べて重量が重く、立設安定性（自立性）にも富む。
上記フェンスは、薄肉部と厚肉部とを有するタイプのものが好ましい。或いは、金属繊維間の隙間が小さな高密度部と、金属繊維間の隙間が大きな低密度部とを有するタイプのものが好ましい。特に、金属繊維間の隙間が小さな薄肉・高密度部と、この薄肉・高密度部よりその厚さが厚く、金属繊維間の隙間が大きな厚肉・低密度部とを有するタイプのものが好ましい。これによって、薄肉部と厚肉部とからなる模様による外観性の向上と言うだけでなく、機械的強度も向上する。更には、薄肉部と厚肉部とによる表面（ガスコンロ側の面）が凹凸構造を呈するが故に、付着した油が一層流れ落ち難い。特に、付着した油の含浸性に優れ、付着した油は流れ落ち難い。
【００１１】
又、フェンスの周辺部は、金属繊維間の隙間が小さな高密度構造であるのが好ましい。或いは、金属繊維間の隙間が小さな薄肉構造であるのが好ましい。特に、金属繊維間の隙間が小さな薄肉・高密度構造であるのが好ましい。更には、加圧（特に、圧壊）による金属繊維間の隙間が小さな薄肉・高密度構造であるのが好ましい。これによって、周辺部にある金属繊維が脱落し難い。又、機械的強度も向上する。更には、フェンスの自立性も向上する。例えば、Ａｌ箔製のフェンスのように周縁部にカール構造を施さなくても済む。
【００１２】
又、金属繊維同士は絡まった構造であるのが好ましい。一部の金属繊維のみが絡まったものであっても良い。これによって、金属繊維が脱落し難くなる。
又、金属繊維の長さをａ、金属繊維間の隙間が大きな低密度部領域の内径寸法をｂとした場合、ａ＞ｂであるのが好ましい。これによって、金属繊維の少なくとも一端は加圧（圧潰）による高密度部（薄肉部）に位置することになり、金属繊維が脱落し難いものとなる。
【００１３】
【発明の実施の形態】
本発明になるフェンスは、加熱器具の周囲に配設されるフェンスであって、金属繊維を用いて構成されたものである。特に、加熱器具の周囲に配設されるフェンスであって、金属繊維を重ねた積層材によって構成されたものである。
フェンスは、薄肉部と厚肉部とを有する。或いは、金属繊維間の隙間が小さな高密度部と、金属繊維間の隙間が大きな低密度部とを有する。特に、金属繊維間の隙間が小さな薄肉・高密度部と、この薄肉・高密度部よりその厚さが厚く、金属繊維間の隙間が大きな厚肉・低密度部とを有する。これによって、薄肉部と厚肉部とのパターンによる表面が凹凸構造を呈する。又、低密度部では金属繊維間の隙間から背部が多少透き通って見える。
【００１４】
フェンスは、その周辺部が、金属繊維間の隙間が小さな高密度構造である。或いは、金属繊維間の隙間が小さな薄肉構造である。特に、金属繊維間の隙間が小さな薄肉・高密度構造である。例えば、加圧（特に、圧壊）による金属繊維間の隙間が小さな薄肉・高密度構造である。
金属繊維同士は、単に、積層されているのみでも良いが、特に、互いに絡まっている。一部の金属繊維のみが絡まったものであっても良い。
【００１５】
金属繊維の平均長さａは、金属繊維間の隙間が大きな低密度部領域の内径寸法をｂとした場合、ａ＞ｂの条件を満たす。
以下、更に詳しく説明する。
図１〜図３は本発明になる加熱器具用フェンスの一実施形態を示すもので、図１は展開平面図、図２は図１のＩ−Ｉ線における断面図、図３は使用状態を示す斜視図である。
【００１６】
各図中、Ａはガスコンロ、Ｂは金属繊維とバインダ樹脂とを用いて構成した加熱器具用フェンスである。
フェンスＢを構成する金属繊維の材料は如何なる金属でも良い。例えば、ステンレス、銅、Ａｌ等を用いることが出来る。中でもＡｌが好ましい。これは、Ａｌの比重が小さく、フェンスを軽量に出来るからである。又、錆の恐れも少ないからである。本実施形態では、Ａｌ製の繊維を用いた。又、本実施形態における金属繊維の平均長さは約３５ｍｍ以上であった。このＡｌ繊維を繊維同士が絡まった状態で積層し、そしてバインダ樹脂を含浸させ、これを上下から加圧してフェルト状の平板に形成した。
【００１７】
次に、上記Ａｌ繊維積層材からなる平板の所定位置の部分を圧潰し、金属繊維間の隙間が小さな薄肉部（金属繊維間の隙間が小さな高密度部）１を形成した。特に、フェンスＢの周辺部（端部から５ｍｍ〜３０ｍｍの領域）は、図１や図２からも判る通り、圧潰されており、薄肉部（高密度部）１となっている。
圧潰されなかった部分は、金属繊維間の隙間が大きな厚肉部（金属繊維間の隙間が大きな低密度部）２となっており、楕円（長径が２８ｍｍ、短径が８ｍｍ）形状の厚肉部（低密度部）２が整然と繰り返されたパターンである。
【００１８】
上記のような関係で薄肉部（高密度部）１と厚肉部（低密度部）２との凹凸模様が繰り返されて形成されていることから、Ａｌ繊維の一端は少なくとも薄肉部１の部分にあり、Ａｌ繊維が脱落し難いものになっている。
又、フェンスＢの周辺部を圧潰し、薄肉部（高密度部）構造としたから、従来のＡｌ箔製のフェンスと異なり、端縁部はカール構造になっていない。
【００１９】
３は、プレスによって形成された折り目である。
上記のように構成させたフェンスＢは、Ａｌ箔製のフェンスに見られるような皺が無く、外観性に優れている。例えば、このフェンスＢ自体がインテリアとしても通用する程の外観性に優れている。又、金属繊維を用いて構成したが故に、Ａｌ箔製のフェンスとは異なり、金属繊維間の隙間が大きな低密度部では隙間から裏側が透けて見え、これによっても外観性が良い。又、薄肉部と厚肉部とからなる模様により外観性が向上し、かつ、機械的強度も向上する。更には、薄肉部と厚肉部とによる表面が凹凸構造を呈するが故に、付着した油が一層流れ落ち難い。特に、付着した油の含浸性に優れ、付着した油は流れ落ち難い。
【００２０】
又、フェンスＢ周辺部は金属繊維間の隙間が小さな薄肉部（高密度部）構造であることから、周辺部にある金属繊維が脱落し難い。かつ、機械的強度も優れている。又、フェンスＢの自立性も良い。
又、Ａｌ箔製のフェンスとは異なり、表面が平滑でない。すなわち、金属繊維で構成したことから、これに油が付着しても、油が直ちに表面を伝わって流れ落ちない。つまり、油の保持性に富む。従って、フェンスＢが置かれているコンロ面或いはテーブル面を汚し難い。
【００２１】
又、手が触れても、不愉快な甲高い金属音を発生しない。
又、Ａｌ箔製のフェンスに比べて、金属繊維を用いて構成させたフェンスＢは剛性に富み、取扱い易い。かつ、Ａｌ箔製のものに比べて重量が重く、立設安定性（自立性）にも富む。
又、金属繊維同士は絡まっていることから、金属繊維が脱落し難い。特に、金属繊維の長さが低密度部２の内径寸法より長いので、金属繊維の少なくとも一端は高密度部１に位置することになり、金属繊維が脱落し難い。
【００２２】
尚、上記実施形態では、図３に示す通り、使用状態がコ字形のものであるが、これはＬ字形であっても良い。
【００２３】
【効果】
▲１▼  Ａｌ箔製のフェンスに見られるような皺が無く、外観性に優れている。
▲２▼  Ａｌ箔のように表面が平滑で無いから、油が付着しても、油が直ちに表面を伝わって流れ落ちると言ったことが起き難い。つまり、油の保持性に富み、流れ落ち難い。従って、フェンスが置かれている面を汚し難い。
▲３▼  例えば、手が触れても、不愉快な甲高い金属音が起き難い。
【図面の簡単な説明】
【図１】加熱器具用フェンスの展開平面図
【図２】図１のＩ−Ｉ線における断面図
【図３】使用状態を示す斜視図
【符号の説明】
Ａ          ガスコンロ
Ｂ          加熱器具用フェンス
１          薄肉部（高密度部）
２          厚肉部（低密度部）
【図１】
0003753217.tif 000002
【図２】
0003753217.tif 000003
【図３】
0003753217.tif 000004